(57)【要約】【課題】スイッチング損失の低減を図ることと、ノイズ対策とを、簡単に両立させ得るスイッチング電源装置を提供する。【解決手段】空調機の制御用電圧を生成するスイッチング電源装置において、スイッチングトランス１の１次側巻線１ｐへの通電をオン／オフするスイッチング素子４と、スイッチング素子４と並列に接続され、１次側巻線のインダクタンスとＬＣ共振を生じる共振用コンデンサ３と、スイッチングトランス１の２次側電圧を整流及び平滑した出力電圧に基づいてスイッチング素子４のオン／オフ期間を制御する電圧制御回路７（フォトカプラ６，スイッチングＩＣ５）と、出力電圧に含まれ得る過渡的な異常電圧を吸収することにより、当該異常電圧がそのままフォトカプラ６への入力となることを防止する異常電圧吸収用コンデンサ１１とを設ける。【選択図】図１
2011229282.tif 000002
【特許請求の範囲】
【請求項１】
空調機の制御用電圧を生成するスイッチング電源装置であって、
スイッチングトランス（１）と、
前記スイッチングトランス（１）の１次側巻線（１ｐ）への通電をオン／オフするスイッチング素子（４）と、
前記スイッチング素子（４）と並列に接続され、前記１次側巻線（１ｐ）のインダクタンスとＬＣ共振を生じる共振用コンデンサ（３）と、
前記スイッチングトランス（１）の２次側電圧を整流及び平滑した出力電圧に基づいて前記スイッチング素子（４）のオン／オフ期間を制御する電圧制御回路（７）と、
前記出力電圧に含まれ得る過渡的な異常電圧を吸収することにより、当該異常電圧がそのまま前記電圧制御回路（７）への入力となることを防止する異常電圧吸収用コンデンサ（１１）と
を備えたことを特徴とするスイッチング電源装置。
【請求項２】
前記電圧制御回路（７）は前記出力電圧により動作するフォトカプラ（６）を含み、前記異常電圧吸収用コンデンサ（１１）は当該フォトカプラ（６）の入力回路に並列に接続されている請求項１記載のスイッチング電源装置。
【請求項３】
前記インダクタンスを相対的に増大させることによってＬＣ共振の振幅を大きくした請求項１又は２に記載のスイッチング電源装置。
【発明の詳細な説明】
【技術分野】
【０００１】
本発明は、空調機の制御用電圧を生成するスイッチング電源装置に関する。
【背景技術】
【０００２】
スイッチング電源装置は、スイッチングに伴って電力の損失（スイッチング損失）やサージノイズを生じる。このようなノイズは、外来ノイズも含めて、スイッチング電源装置の定電圧機能に深刻な影響を与える場合がある。従って、このようなスイッチング損失を低減し、かつ、ノイズ対策を講じることが、スイッチング電源装置にとって重要課題である。
【０００３】
例えば、スイッチングトランスの１次側巻線に直列に接続されたスイッチング素子に対して並列にコンデンサを接続し、スイッチング素子のオフ時に、巻線のインダクタンスとコンデンサの容量とで、共振を生じさせ、スイッチング素子の出力端子間の電圧を低減するという技術が知られている（例えば、特許文献１参照。）。これにより、スイッチング損失の低減や、スイッチング素子をターンオンした時のサージノイズ低減が期待される。
【先行技術文献】
【特許文献】
【０００４】
【特許文献１】特開２００９−１００５５４号公報
【発明の概要】
【発明が解決しようとする課題】
【０００５】
しかしながら、上記特許文献１のスイッチング電源装置では、共振用のコンデンサの容量を大きくすると、ターンオフ時のサージノイズは低減できるが、ターンオン時のスイッチング損失は大きくなるという問題点がある（段落［０００６］〜［０００７］）。上記特許文献１では、この問題を解決するために、マイクロコンピュータを用いて容量を可変にする提案をしているが、そのためにはマイクロコンピュータその他の制御回路が必要であり、回路構成が複雑化してコストも増大する。
【０００６】
かかる従来の問題点に鑑み、本発明は、スイッチング損失の低減を図ることと、ノイズ対策とを、簡単に両立させ得るスイッチング電源装置を提供することを目的とする。
【課題を解決するための手段】
【０００７】
（１）本発明は、空調機の制御用電圧を生成するスイッチング電源装置であって、スイッチングトランスと、前記スイッチングトランスの１次側巻線への通電をオン／オフするスイッチング素子と、前記スイッチング素子と並列に接続され、前記１次側巻線のインダクタンスとＬＣ共振を生じる共振用コンデンサと、前記スイッチングトランスの２次側電圧を整流及び平滑した出力電圧に基づいて前記スイッチング素子のオン／オフ期間を制御する電圧制御回路と、前記出力電圧に含まれ得る過渡的な異常電圧を吸収することにより、当該異常電圧がそのまま前記電圧制御回路への入力となることを防止する異常電圧吸収用コンデンサとを備えたものである。
【０００８】
上記のように構成されたスイッチング電源装置では、スイッチング素子がオフのときスイッチングトランスの１次巻線と共振用コンデンサとによって発生するＬＣ共振により、スイッチング素子の出力端子間の電圧が低下する。スイッチング素子がターンオンしたときのスイッチング損失を低減するには、ＬＣ共振の振幅を大きくして当該電圧をより小さくすることが好ましく、そのためにインダクタンスを増大させた場合、ターンオフ時の２次側のサージノイズが大きくなる。また、外来ノイズがこれに重なる場合もある。しかし、このような異常電圧は異常電圧吸収用コンデンサによって吸収されるので、異常電圧がそのまま電圧制御回路への入力となることはなく、異常電圧に対する無用な電圧制御を抑制することができる。
【０００９】
（２）また、上記（１）のスイッチング電源装置において、電圧制御回路は出力電圧により動作するフォトカプラを含み、前記異常電圧吸収用コンデンサは当該フォトカプラの入力回路に並列に接続されているものであってもよい。
この場合、高い周波数成分を持つ過渡的な異常電圧は、フォトカプラへの入力に対するバイパスを形成するコンデンサに導かれ、フォトカプラへ異常電圧がそのまま入力されることを、確実に防止することができる。例えば、高周波に対する応答性に優れたセラミックコンデンサを採用することにより、このような動作を容易に実現することができる。
【００１０】
（３）また、上記（１）又は（２）のスイッチング電源装置において、インダクタンスを相対的に増大させることによってＬＣ共振の振幅を大きくすることが好ましい。
この場合、ＬＣ共振の振幅を増大させた分だけ、スイッチング素子がオフのときの出力端子間の電圧が低下するので、スイッチング素子がターンオンしたときのスイッチング損失を低減することができる。また、インダクタンスの増大によって、スイッチングトランスの結合度が向上し、電力変換の効率が改善される。
【発明の効果】
【００１１】
本発明のスイッチング電源装置によれば、スイッチング損失の低減を簡易に実現可能とする一方で、それによってノイズが増大しても出力電圧の変動を抑制することができる。
【図面の簡単な説明】
【００１２】
【図１】本発明の一実施形態に係るスイッチング電源装置の主要部の回路図である。
【図２】図１におけるスイッチング素子のオン／オフに伴って、その出力端子間電圧であるコレクタ−エミッタ間電圧ＶＣＥと、出力電流であるコレクタ電流Ｉｃとが、どのように変化するかを示すタイムチャートである。
【図３】出力電圧（＝Ｖｃｃ）に乗るノイズの例を示す図である。
【発明を実施するための形態】
【００１３】
図１は、本発明の一実施形態に係るスイッチング電源装置の主要部の回路図である。このスイッチング電源装置は、空調機（主に室外機又は室内機、リモコン装置でも可）に使用されるものである。図において、スイッチングトランス１は、１次巻線１ｐ及び２次巻線１ｓを有し、１次巻線１ｐのインダクタンスは、巻数を増やすことにより、従前の通常値と比べて２倍程度となっている。これにより、トランスの結合度が増大し、電力変換の効率が向上する。
【００１４】
スイッチングトランス１の１次巻線１ｐには、直流電圧ＶＤＣが供給される。なお、この直流電圧ＶＤＣは、商用交流電圧を全波整流し、かつ、電解コンデンサ２によって平滑されることにより得られるものである。１次巻線１ｐには直列にスイッチング素子４（例えばパワートランジスタ）が接続されている。スイッチング素子４の出力端子（コレクタ−エミッタ）間には、並列に、共振用コンデンサ３が接続されている。
【００１５】
また、スイッチング素子４のベースにはスイッチングＩＣ５が接続され、さらに、フォトカプラ６の出力回路が接続されている。スイッチングＩＣ５は、フォトカプラ６の出力電流が多いほどスイッチング素子４をオンにする期間が短くなるように、また、フォトカプラ６の出力電流が少ないほどスイッチング素子４をオンにする期間が長くなるように制御する。スイッチングＩＣ５及びフォトカプラ６は、スイッチング素子４のオン／オフ期間を制御する電圧制御回路７を構成している。
【００１６】
スイッチングトランス１の２次巻線１ｓに生じる電圧は、ダイオード８を介して電解コンデンサ９により平滑される。平滑後の出力電圧は、制御用の直流電圧Ｖｃｃとしてマイクロコンピュータ１３等の電子デバイスに提供される。また、出力電圧は、フォトカプラ６の入力回路と抵抗１０との直列体にも印加され、フォトカプラ６の入力回路（発光ダイオード）に電流が流れる。このときフォトカプラ６に流れる電流は、出力電圧の増減に応じて増減する。
【００１７】
具体的には、Ｖｃｃの所定値（通常５Ｖ）を基準値として、この基準値より出力電圧が高くなると、フォトカプラ６の入力回路及び出力回路に流れる電流が相対的に増大し、スイッチングＩＣ５はスイッチング素子４をオンにする期間を短くするように動作する。この結果、出力電圧は低下する。逆に、基準値より出力電圧が低くなると、フォトカプラ６の入力回路及び出力回路に流れる電流が相対的に減少し、スイッチングＩＣ５はスイッチング素子４をオンにする期間を長くするように動作する。この結果、出力電圧は上昇する。このようなフィードバック動作によって、出力電圧は定電圧に保たれる。
【００１８】
また、フォトカプラ６の入力回路には異常電圧吸収用コンデンサ１１及び抵抗１２がそれぞれ並列に接続されている。抵抗１２は、抵抗１０と共に出力電圧を分圧し、フォトカプラ６の入力回路に印加される電圧が許容範囲を超えないように規制している。異常電圧吸収用コンデンサ１１は、スイッチングによるサージノイズや外来ノイズを吸収する。また、異常電圧吸収用コンデンサ１１は、セラミックコンデンサであり、これは、スイッチングによるサージノイズや外来ノイズが持つ高周波成分に対しての応答性に特に優れている。なお、外来ノイズとは例えば、マイクロコンピュータ１３が制御するインバータ回路から来るものである。
【００１９】
図２は、スイッチング素子４のオン／オフに伴って、その出力端子間電圧であるコレクタ−エミッタ間電圧ＶＣＥと、出力電流であるコレクタ電流Ｉｃとが、どのように変化するかを示すタイムチャートである。まず、電圧ＶＣＥは、スイッチング素子４がオンのとき低電圧（ほぼ０）、オフのとき高電圧となる。オンからオフに転じた瞬間には過渡的なサージ電圧が生じる。
【００２０】
また、電圧ＶＣＥは、ＬＣ共振波形の一部としてのカーブを描いて下降し、ターンオンにより共振終了となって電圧ＶＣＥは低電圧になる。ここで、二点鎖線で描いたカーブは、比較のために従前のインダクタンス（約２ｍＨ）の場合のＬＣ共振による電圧低下を示す。実線は、本実施形態のインダクタンス（約４ｍＨ）の場合のＬＣ共振による電圧低下を示す。低下の度合いが大きくなるのは、インダクタンスの増大によってＬＣ共振波形の振幅が大きくなるからである。このように、インダクタンスの増加によって、ターンオン直前の電圧ＶＣＥを、より低い値にすることができ、ターンオン後の低電圧との落差を、より小さくすることができる。
【００２１】
ターンオン前後の電圧の落差が、より低い値となっていることは、電流Ｉｃに現れるサージ電流を低下させる効果がある。すなわち、電流Ｉｃの、二点鎖線で示すパルス状波形は、従前のインダクタンスの場合のサージ電流を示し、実線は、本実施形態のインダクタンスの場合のサージ電流を示す。このように大幅にサージ電流が低下することにより、スイッチング損失を低下させることができる。
【００２２】
図３は、出力電圧（＝Ｖｃｃ）に乗ってくるノイズ（図２のサージ電圧や、外来ノイズ）の例を示す図である。マイクロコンピュータ１３に供給される定格電圧を例えば５Ｖとすると、その許容範囲は±５％程度であり、４．７５〜５．２５Ｖの範囲となる。図の二点鎖線は、比較のために、異常電圧吸収用コンデンサ１１が設けられていない場合においてノイズが、図１における電圧Ｖｃｃの電路に乗った場合の波形を示している。この場合、まず、急激な出力電圧の上昇がフォトカプラ６によって検知され、スイッチングＩＣ５は、スイッチング素子４のオン期間を急激に短くする制御を行う。この制御により、ごく短時間の遅延を伴って出力電圧が急激に低下する。この低下の程度は、例えば３．２Ｖまで低下することがあり、マイクロコンピュータ１３の誤動作を招き得る状態となる。
【００２３】
しかしながら、本実施形態では、フォトカプラ６に並列にバイパスを形成する異常電圧吸収用コンデンサ１１が接続されているので、主として高周波成分で構成されるノイズは、当該コンデンサ１１に導かれ、フォトカプラ６の入力回路への影響は大幅に低減される。従って、図３の実線で示すようにごく僅かの電圧上昇がフォトカプラ６に入力されるのみであり、これに対する電圧制御の応答効果も、ごく僅かの電圧降下にとどまる。この場合の電圧上昇・電圧降下の幅は小さく、許容範囲に十分に収まるものである。
【００２４】
以上のように、上記スイッチング電源装置では、スイッチング素子４がターンオンしたときのスイッチング損失を低減するために、スイッチングトランス１の１次巻線１ｐと共振用コンデンサ３とによって発生するＬＣ共振を利用する。また、その場合には、ＬＣ共振の振幅を大きくしてターンオン直前の電圧ＶＣＥを、より小さくすることが好ましい。しかし、そのためにインダクタンスを増大させた場合、２次側のサージ電圧が大きくなる。そこで、サージ電圧を吸収する異常電圧吸収用コンデンサ１１を設け、異常電圧がそのままフォトカプラ６への入力とならないようにした。これにより、異常電圧に対する無用な電圧制御を抑制することができる。その結果として、当該スイッチング電源装置では、スイッチング損失の低減を図ることと、ノイズ対策により出力電圧の変動を抑制することとを、簡単に両立させ得るスイッチング電源装置を提供することができる。
【００２５】
なお、上記実施形態では出力電圧のフィードバックにフォトカプラ６を使用したが、フォトカプラ６の入力回路の代わりに電圧検出器を置いて、その検出出力によりスイッチングＩＣ５を動作させるようにしてもよい。
【符号の説明】
【００２６】
１    スイッチングトランス
１ｐ  １次側巻線
３    共振用コンデンサ
４    スイッチング素子
６    フォトカプラ
７    電圧制御回路
１１    異常電圧吸収用コンデンサ
【図１】
2011229282.tif 000003
【図２】
2011229282.tif 000004
【図３】
2011229282.tif 000005